(57)【要約】      （修正有）【課題】任意の絵画又は写真等の絵柄が描かれた絵柄板を適宜交換して鑑賞に供すると共に、読書用照明機能を有した絵柄を交換可能にした灯器に関する技術を提供する。【解決手段】絵柄を交換可能にした灯器は内部に照明用発光体を具備した光を透過する一面を有する箱で構成され、絵柄板１０と、前面透明板１１と、光拡散板１２と、照明用電球１３と、上蓋１４とケース１５と、裏板１６とで構成している。絵柄板１０は光透過性を有する１（ｍｍ）程度の厚さの板材に描いた絵画及び前記板材に印刷した写真、またはスライドフィルムで撮影した写真等である。絵柄板１０の横幅の長さはケース１５の側板部に設けた前方の縦溝に絵柄板１０の縦端部が前方の縦溝に適当な隙間を持って挿入できかつ絵柄板１０の縦端部が前方の縦溝から脱落しない長さとする。【選択図】図５
0003136406.tif 000002
【実用新案登録請求の範囲】
【請求項１】
内部に光源を有して天面を開閉可能な上蓋で構成した箱状のケースにおいて、左・右内側面に少なくとも２列の縦溝を配設し前記箱状のケースの前方の前記縦溝に挿脱自在に配設すると共に背部に絵柄板を密着して配置した前面透明板と、該絵柄板の背部であって、後方の前記縦溝に挿脱自在に配設した光拡散板とで構成した絵柄を交換可能にした灯器。
【請求項２】
前記箱状のケースの裏板に単一又は複数の放熱孔を形成したことを特徴とする請求項１記載の絵柄を交換可能にした灯器。
【考案の詳細な説明】
【技術分野】
【０００１】
本考案は、好みに応じた絵柄を任意に選定し該絵柄を灯器内で交換可能にすると共に、読書用照明機能を有した絵柄を交換可能にした灯器に関する。
【背景技術】
【０００２】
この種、従来より室内装飾用として壁面に設置される写真ないし絵画を照明する灯器に関して図８に示す例がある。これについて説明すれば図８において、１は例えば絵画２の四辺を囲んだフレーム３ａ、３ｂ、３ｃ、３ｄと背面板４より成る額であって、絵画２の上方及び下方に位置するフレーム３ａ，３ｃには絵画２に対向する２面が開放された凹部５ａ，５ｂを形成している。そして、フレーム３ａに形成した凹部５ａには照明灯６を着脱可能な取付具７を設けており、例えばグロー球，安定器等から成る照明灯６を駆動する駆動装置８がフレーム３ｃに形成した凹部５ｂに収納されている。なお、取付具６と、駆動装置８はフレーム３ｂ又は３ｄに設けられた図示しない配線を介して接続されている。図示しないスイッチを操作すると、照明灯６によって絵画２が適度に照明され、絵画２を鑑賞できる。
【特許文献１】登録実用新案第３０１２０１７号公報
【考案の開示】
【考案が解決しようとする課題】
【０００３】
従来の技術は、叙上の構成であるので次の課題が存在した。
すなわち、上述した従来の技術によれば、絵画又は写真を取付けて壁面に設置する額において、額の一部に照明器具を内蔵し当該絵画又は写真を一方向から照明して鑑賞に供する技術であり、絵画又は写真を適宜入れ替えて鑑賞することが出来ないという問題点があった。また、壁面に設置するので容易に設置場所を変更することが困難であり鑑賞する場所が固定されるという問題点があった。さらに、落射照明の照明方法であるから額を設置した場所の周囲を充分に照明することが困難ありで、照明器具としての用途には適しないという問題点があった。
本考案が解決しようとする課題は上記背景技術で述べた問題点を解決することにある。
【課題を解決するための手段】
【０００４】
本考案は、任意の絵画又は写真等の絵柄が描かれた絵柄板を適宜交換して鑑賞に供すると共に、読書用照明機能を有した灯器を提供することを目的としたものであって、次の構成、手段から成立する。
請求項１記載の考案によれば、内部に光源を有して天面を開閉可能な上蓋で構成した箱状の器において、左・右内側面に少なくとも２列の縦溝を配設し前記箱状のケースの前方の前記縦溝に挿脱自在に配設すると共に背部に絵柄板を密着して配置した透明板と、該絵柄板の背部であって、後方の前記縦溝に挿脱自在に配設した光拡散板とで構成した絵柄を交換可能にした灯器である。
【０００５】
請求項２記載の考案によれば、請求項１記載の考案に於いて、前記箱状のケースの裏板に単一又は複数の放熱孔を形成した請求項１記載の絵柄を交換可能にした灯器である。
【考案の効果】
【０００６】
本考案に係る絵柄を交換可能にした灯器は、叙上の構成を有するので次の効果がある。
すなわち、請求項１記載の考案によれば、内部に光源を有して天面を開閉可能な上蓋で構成した箱状のケースにおいて、左・右内側面に少なくとも２列の縦溝を配設し前記箱状のケースの前方の前記縦溝に挿脱自在に配設すると共に背部に絵柄板を密着して配置した透明板と、該絵柄板の背部であって、後方の前記縦溝に挿脱自在に配設した光拡散板とで構成した絵柄を交換可能にした灯器である。
このような構成としたので、四季にあわせて絵柄を替えるなど好みの絵柄を任意に交換して鑑賞することができ、絵柄の光透過量を任意に選択できるので、好みに合わせた明るさの灯器にすることができ、かつ可搬型なので設置場所を限定しない絵柄を交換可能にした灯器を提供できる効果がある。
【０００７】
請求項２記載の考案によれば、前記箱状のケースの裏板に単一又は複数の放熱孔を形成したことを特徴とする請求項１記載の絵柄を交換可能にした灯器である。
このような構成としたので、請求項１記載の考案に加えて、内部に発生した熱を有効に放熱し、灯器本体に熱がこもることを防止し該灯器内に設置した絵柄板の熱による劣化を防止することができるという効果がある。
【考案を実施するための最良の形態】
【０００８】
以下、本考案に係る絵柄を交換可能にした灯器に於ける実施の形態について添付図面に基づき詳細に説明する。
図１は、本考案に係る絵柄を交換可能にした灯器の実施の形態を示すものであって、正面から見た斜視図である。図２は本考案に係る絵柄を交換可能にした灯器の実施の形態を示すものであって、背面図である。図３は本考案に係る絵柄を交換可能にした灯器の実施の形態の要部を断面にした斜視図である。図４は本考案に係る絵柄を交換可能にした灯器の実施の形態におけるケースの構造を示す斜視図である。図５は本考案に係る絵柄を交換可能にした灯器の実施の形態の略中央部に於ける縦断面図である。図６は本考案に係る絵柄を交換可能にした灯器の実施の形態に於いて、上蓋を取外した平面図である。図７は該上蓋の内側を上に向けて置いたときの平面図である。これらについて説明し、当該絵柄を交換可能にした灯器を明らかにする。
【０００９】
９は絵柄を交換可能にした灯器である。絵柄を交換可能にした灯器９は内部に照明用発光体を具備した光を透過する一面を有する箱で構成され、大概すれば絵柄板１０と、前面透明板１１と、光拡散板１２と、照明用電球１３と、上蓋１４とケース１５と、裏板１６とで構成している。該絵柄板１０は光透過性を有する１（ｍｍ）程度の厚さの板材に描いた絵画及び前記板材に印刷した写真、またはスライドフィルムで撮影した写真等である。また該絵柄板１０は黒色の厚紙を用いた切絵であってもよい。絵柄板１０の横幅の長さはケース１５の左・右内側面すなわち側板部１５ｅ、１５ｆの内壁に設けた前方の縦溝１５ａ、１５ａに絵柄板１０の縦端部１０ａ、１０ａが前方の縦溝１５ａ、１５ａに適当な隙間を持って挿入できかつ絵柄板１０の縦端部１０ａ、１０ａが前方の縦溝１５ａ、１５ａから脱落しない長さとする。絵柄板１０の縦幅の長さはケース１５に後述する上蓋１４を被せたとき、ケース１５に設けた前方の横溝１５ｂと上蓋１４に設けた前方の横溝１４ｂに収納可能な長さとする。
【００１０】
図３に於いて１１は前面透明板である。前面透明板１１は透明でかつ平滑性を有する材料を用い、３（ｍｍ）程度の厚みのアクリル板、ポリカーボネート板又はガラス板等で構成する。前面透明板１１の横幅の長さは図６に於いてケース１５の左・右内側面すなわち側板部１５ｅ、１５ｆに設けた前方の縦溝１５ａ、１５ａに前面透明板１１の縦端部１１ａ、１１ａが前方の縦溝１５ａ、１５ａに適当な隙間を持って挿入できかつ前面透明板１１の縦端部１１ａ、１１ａが前方の縦溝１５ａ、１５ａから脱落しない長さとする。前面透明板１１の縦幅の長さはケース１５に後述する上蓋１４を被せたとき、図４に於いてケース１５に設けた前方の横溝１５ｂと図７に示す上蓋１４に設けた前方の横溝１４ｂに収納可能な長さとする。
【００１１】
１２は光拡散板である。光拡散板１２は後述する光源としての照明用電球１３の光を前記絵柄板１０全体に拡散させて絵柄板１０を透過する単位面積あたりの光量を均一にする機能を有する。光拡散板１２は不透明の乳白色でかつ平滑性を有する材料を用い、３（ｍｍ）程度の厚みのアクリル板、ポリカーボネート板等で構成する。光拡散板１２の横幅の長さは図６に於いてケース１５の左・右内側面すなわち側板部１５ｅ、１５ｆに設けた後方の縦溝１５ｃ、１５ｃに光拡散板１２の縦端部１２ａ、１２ａが後方の縦溝１５ｃ、１５ｃに適当な隙間を持って挿入できかつ光拡散板１２の縦端部１２ａ、１２ａが後方の縦溝１５ｃ、１５ｃから脱落しない長さとする。光拡散板１２の縦幅の長さはケース１５に後述する上蓋１４を被せたとき、図４に於いてケース１５に設けた後方の横溝１５ｄと図７に示す上蓋１４に設けた後方の横溝１４ｄに収納可能な長さとする。
【００１２】
１３は光源としての照明用電球である。図５に示すとおり照明用電球１３は前記光拡散板１２を介して前記絵柄板１０を鑑賞する側と反対側である裏から照明するもので、５（ワット）から数十（ワット）程度の明るさの電球である。照明用電球１３は後述するケース１５の底板部１５ｇに取付具１３ａを介して固定し、取付具に付属する電源コード１３ｂを後述する裏板１６のコード孔１６ａから取出して電源に接続する。
【００１３】
１４は上蓋である。上蓋１４は後述するケース１５の天面に着脱自在に設置する蓋であり、材質、外観、仕上げ等はケース１５と同一にする。上蓋１４の裏側すなわち内側には図７に示すとおり前方の横溝１４ｂ及び後方の１４ｄを配設し、上述の如く上蓋１４をケース１５に被せたとき、絵柄板１０の横端部１０ｂ、前面透明板の端部１１ｂ並びに拡散板の縦端部１２ｂを前方の横溝１４ｂ及び後方の１４ｄで保持する。１４ａは上蓋１４の位置決め溝であって、上述の如く上蓋１４をケース１５に被せたときケース１５に具備した後述する位置決め板１７と位置決め溝１４ａとが嵌合して上蓋１４をケース１５の所定の位置に位置決めする。１４ｃは後述する裏板１６をケース１５に固定したとき、裏板１６の板厚分の厚みを収容するための裏板用溝である。
尚、上蓋１４に後方の横溝１４ｄを設けずに、光拡散板１２の縦寸法を後方の横溝１４ｄの溝深さの寸法相当だけ減じて構成してもよい。
【００１４】
１５はケースである。ケース１５は図４に示すとおり箱型の形状を有し、水平部を構成する底板部１５ｇと底板部１５ｇの両端部に垂直に起立する側板部１５ｅ、１５ｆで構成する。ケース１５の材質は不透明であれば、木質、金属、合成樹脂等適宜選択可能である。側板部１５ｅ、１５ｆはそれぞれ前方の縦溝１５ａ、１５ａ及び後方の１５ｃ、１５ｃを配設している。前方の縦溝１５ａ、１５ａは前述の絵柄板１０及び前面透明板１１を重ね合わせて差し込む溝であり、前方の縦溝１５ａ、１５ａの溝幅は絵柄板１０及び前面透明板１１の板厚の合計寸法より０．５（ｍｍ）から１．０（ｍｍ）広く構成することにより容易かつ円滑に絵柄板１０または絵柄板１０及び前面透明板１１を一括して交換し、かつ固定することができる。
後方の縦溝１５ｃ、１５ｃは前述した光拡散板１２を差し込む溝であり、後方の縦溝１５ｃ、１５ｃの溝幅は光拡散板１２の板厚寸法より０．５（ｍｍ）程度広く構成することにより、光拡散板１２を清掃するときなどに出入れを容易にすることができる。
１７は側板部１５ｅ、１５ｆに固定した位置決め板であり、前述した１４をケース１５に被せるとき、上蓋１４に具備した位置決め溝１４ａと該置決め板１７が嵌合して上蓋１４をケース１５の所定の位置に位置決めする。位置決め板１７の材質は木質、金属、合成樹脂等適宜選択する。
１５ｂは底板部１５ｇに配設した前方の横溝であって、前方の横溝１５ｂは前述した絵柄板１０及び前面透明板１１を重ね合わせて差し込む溝であり、前方の横溝１５ｂの溝幅は絵柄板１０及び前面透明板１１の板厚の合計寸法より０．５（ｍｍ）から１．０（ｍｍ）広く構成することにより容易かつ円滑に絵柄板１０または絵柄板１０及び前面透明板１１を一括して出入れし、かつ固定することができる。
【００１５】
１５ｄは底板部１５ｇに配設した後方の横溝であって、後方の横溝１５ｄは前述した光拡散板１２を差し込む溝であり、後方の横溝１５ｄの溝幅は光拡散板１２の板厚寸法より０．５（ｍｍ）程度広く構成することにより、光拡散板１２を清掃するときなどに出入れを容易にすることができる。絵柄板１０及び前面透明板１１を出入れする前方の縦溝１５ａ及び前方の横溝１５ｂと、光拡散板１２を固定する後方の縦溝１５ｃ及び後方の横溝１５ｄとは図４に示すとおり５（ｍｍ）ないし１０（ｍｍ）の間隔をあけて配設する。このように間隔を設けて絵柄板１０と光拡散板１２を配設することにより、光拡散板１２によって拡散された照明用電球１３から発した光線が均等に絵柄板１０の裏面に照射され、絵柄板１０を均等な明るさで鑑賞することができる。
尚、底板部１５ｇに後方の横溝１５ｄを設けずに、光拡散板１２の縦寸法を後方の横溝１５ｄの溝深さの寸法相当だけ減じて構成してもよい。
１５ｈは後述する裏板１６をケース１５にはめ込み位置決めする溝である。本考案の実施形態に於いては、前記絵柄板１０と前記前面透明板１１を密着させてケース１５の内側面に配設した１本の溝に挿脱しているが、ケース１５の内側面に近接した２本の溝を配設して該２本の溝に前記絵柄板１０及び前記前面透明板１１をそれぞれ保持・固定してもよい。
【００１６】
１６は裏板である。裏板１６の材質はケース１５同様に不透明であれば、木質、金属、合成樹脂等適宜選択可能である。裏板１６は図２に示すとおり略矩形状の形状で、その一辺の端部に電源コード１３ｂをケース１５から取出すためのコード孔１６ａを配し、該コード孔１６ａ上方で上蓋１４近傍に左右対称に放熱孔１６ｂ、１６ｂを配設する。裏板１６をケース１５に固定するときは、図２に示す裏板固定具１８、１８を回転させて、ケース１５の外側に退避させ、裏板１６をケース１５の裏板用溝１５h及び上蓋１４の裏板用溝１４ｃに落とし込んだ後に裏板固定具１８を再度回転させて、ケース１５の内側へ向けて裏板１６を裏板１６の端部で固定する。
【図面の簡単な説明】
【００１７】
【図１】本考案に係る絵柄を交換可能にした灯器の実施の形態を示すものであって、正面から見た斜視図である。
【図２】本考案に係る絵柄を交換可能にした灯器の実施の形態を示すものであって、背面図である。
【図３】本考案に係る絵柄を交換可能にした灯器の実施の形態の要部を断面にした拡大斜視図である。
【図４】本考案に係る絵柄を交換可能にした灯器の実施の形態におけるケースの構造を示す斜視図である。
【図５】本考案に係る絵柄を交換可能にした灯器の実施の形態の略中央部に於ける拡大縦断面図である。
【図６】本考案に係る絵柄を交換可能にした灯器の実施の形態に於いて、上蓋を取外した平面図である。
【図７】本考案に係る絵柄を交換可能にした灯器の実施の形態に於いて、上蓋の内側を上に向けて置いたときの平面図である。
【図８】従来技術に於ける室内装飾用として壁面に設置される写真ないし絵画を照明する灯器の例を示すものであって、（ａ）は正面斜視図、（ｂ）は略中央断図である。
【符号の説明】
【００１８】
９        絵柄を交換可能にした灯器
１０      絵柄板
１０ａ    絵柄板の縦端部
１０ｂ    絵柄板の横端部
１１      前面透明板
１１ａ    前面透明板の縦端部
１１ｂ    前面透明板の横端部
１２      光拡散板
１２ａ    光拡散板の縦端部
１２ｂ    光拡散板の横端部
１３      照明用電球
１３ａ    取付具
１３ｂ    電源コード
１４      上蓋
１４ａ    位置決め溝
１４ｂ    前方の横溝
１４ｃ    裏板用溝
１４ｄ    後方の横溝
１５      ケース
１５ａ    前方の縦溝
１５ｂ    前方の横溝
１５ｃ    後方の縦溝
１５ｄ    後方の横溝
１５ｅ    側板部
１５ｆ    側板部
１５ｇ    底板部
１５h    裏板用溝
１６      裏板
１６ａ    コード孔
１６ｂ    放熱孔
１７      位置決め板
１８      裏板固定具
【図１】
0003136406.tif 000003
【図２】
0003136406.tif 000004
【図３】
0003136406.tif 000005
【図４】
0003136406.tif 000006
【図５】
0003136406.tif 000007
【図６】
0003136406.tif 000008
【図７】
0003136406.tif 000009
【図８】
0003136406.tif 000010